(57)【特許請求の範囲】
【請求項１】
第１の送信パラメータに基づいて送信信号を第１の伝送信号に変換して、第１の信号経路に送信する第１の送信手段と、
第２の送信パラメータに基づいて前記送信信号を第２の伝送信号に変換して、第２の信号経路に送信する第２の送信手段と、
送信制御信号を受信し、前記送信制御信号に基づいて前記第１の送信パラメータ又は前記第２の送信パラメータを変更する送信制御手段と、
を備える送信装置と、
第１の受信パラメータに基づいて、前記第１の信号経路から受信した前記第１の伝送信号を第１の受信信号に変換する第１の受信手段と、
前記第１の伝送信号の受信状況を監視し、当該監視によって取得された第１の監視情報を出力する第１の受信監視手段と、
第２の受信パラメータに基づいて、前記第２の信号経路から受信した前記第２の伝送信号を第２の受信信号に変換する第２の受信手段と、
前記第２の伝送信号の受信状況を監視し、当該監視によって取得された第２の監視情報を出力する第２の受信監視手段と、
前記第１の監視情報と前記第２の監視情報とに基づいて、前記第１の信号経路と前記第２の信号経路との伝送品質を判断し、当該判断の結果に基づいて前記第１の受信信号又は前記第２の受信信号を選択する切替信号を作成して出力し、前記切替信号で選択されなかった信号経路の前記第１の送信パラメータ又は前記第２の送信パラメータを変更するための前記送信制御信号を作成して送信し、前記切替信号で選択されなかった信号経路の前記第１の受信パラメータ又は前記第２の受信パラメータを変更する受信制御手段と、
前記切替信号に基づいて、前記第１の受信信号又は前記第２の受信信号を選択して第３の受信信号として出力する切替手段と、
を備える受信装置と
を含むことを特徴とする信号伝送システム。
【請求項２】
前記第１の受信監視手段は、前記第１の伝送信号の受信波形を観測し、
前記第１の監視情報は、前記観測によって取得された測定情報を含む
ことを特徴とする請求項１に記載の信号伝送システム。
【請求項３】
前記第１の受信監視手段は、前記第１の受信信号の受信誤りを検知し、
前記第１の監視情報は、前記検知によって取得された検知情報をさらに含む
ことを特徴とする請求項２に記載の信号伝送システム。
【請求項４】
前記受信装置は、前記第１の受信監視手段が前記第１の監視情報を取得したときの時刻情報と前記第１の監視情報を受信履歴情報として記憶する受信履歴記憶手段をさらに備え、
前記受信制御手段は、前記受信履歴情報に基づいて前記第１の信号経路の伝送品質を判断し、前記判断の結果に基づいて前記第１の送信パラメータおよび前記第１の受信パラメータの変更を行う
ことを特徴とする請求項１から３のいずれか１項に記載の信号伝送システム。
【請求項５】
前記送信装置は、前記第１の信号経路の伝送品質の確認、並びに前記第１の送信パラメータ及び前記第１の受信パラメータの設定及び変更を行うための所定の試験信号を出力する試験信号出力手段をさらに備え、
前記受信制御手段は、前記試験信号を前記第１の伝送信号に変換して送信させる第２の送信制御信号を作成して前記送信装置に送信し、
前記送信制御手段は、前記第２の送信制御信号を受信して、前記第２の送信制御信号に基づいて前記試験信号出力手段から前記第１の送信手段に前記試験信号を出力させ、
前記第１の送信手段は、前記第１の送信パラメータに基づいて前記試験信号を変換して前記第１の信号経路に送信する
ことを特徴とする請求項１から４のいずれか１項に記載の信号伝送システム。
【請求項６】
第１の送信パラメータに基づいて送信信号から変換され、第１の信号経路に送信された第１の伝送信号を前記第１の信号経路から受信し、第１の受信パラメータに基づいて第１の受信信号に変換する第１の受信手段と、
前記第１の伝送信号の受信状況を監視し、当該監視によって取得された第１の監視情報を出力する第１の受信監視手段と、
第２の送信パラメータに基づいて送信信号から変換され、第２の信号経路に送信された第２の伝送信号を前記第２の信号経路から受信し、第２の受信パラメータに基づいて第２の受信信号に変換する第２の受信手段と、
前記第２の伝送信号の受信状況を監視し、当該監視によって取得された第２の監視情報を出力する第２の受信監視手段と、
前記第１の監視情報と前記第２の監視情報とに基づいて、前記第１の信号経路と前記第２の信号経路との伝送品質を判断し、当該判断の結果に基づいて前記第１の受信信号又は前記第２の受信信号を選択する切替信号を作成して出力し、前記切替信号で選択されなかった信号経路の前記第１の送信パラメータ又は前記第２の送信パラメータを変更するための送信制御信号を作成して送信し、前記切替信号で選択されなかった信号経路の前記第１の受信パラメータ又は前記第２の受信パラメータを変更する受信制御方法と、
前記切替信号に基づいて、前記第１の受信信号又は前記第２の受信信号を選択して第３の受信信号として出力する切替手段と、
を備えることを特徴とする受信装置。
【請求項７】
受信装置のコンピュータに、
第１の送信パラメータに基づいて送信信号から変換され、第１の信号経路に送信された第１の伝送信号を前記第１の信号経路から受信し、第１の受信パラメータに基づいて第１の受信信号に変換する処理と、
前記第１の伝送信号の受信状況を監視し、当該監視によって取得された第１の監視情報を出力する処理と、
第２の送信パラメータに基づいて送信信号から変換され、第２の信号経路に送信された第２の伝送信号を前記第２の信号経路から受信し、第２の受信パラメータに基づいて第２の受信信号に変換する処理と、
前記第２の伝送信号の受信状況を監視し、当該監視によって取得された第２の監視情報を出力する処理と、
前記第１の監視情報と前記第２の監視情報とに基づいて、前記第１の信号経路と前記第２の信号経路との伝送品質を判断し、当該判断の結果に基づいて前記第１の受信信号又は前記第２の受信信号を選択する切替信号を作成して出力し、前記切替信号で選択されなかった信号経路の前記第１の送信パラメータ又は前記第２の送信パラメータを変更するための送信制御信号を作成して送信し、前記切替信号で選択されなかった信号経路の前記第１の受信パラメータ又は前記第２の受信パラメータを変更する処理と、
前記切替信号に基づいて、前記第１の受信信号又は前記第２の受信信号を選択して第３の受信信号として出力処理と、
を実行させることを特徴とする受信装置制御プログラム。
【請求項８】
第１の送信パラメータに基づいて送信信号を第１の伝送信号に変換して、第１の信号経路に送信し、
第２の送信パラメータに基づいて前記送信信号を第２の伝送信号に変換して、第２の信号経路に送信し、
前記第１の信号経路から前記第１の伝送信号を受信して第１の受信パラメータに基づいて変換して第１の受信信号として出力し、
前記第２の信号経路から前記第２の伝送信号を受信して第２の受信パラメータに基づいて変換して第２の受信信号として出力し、
前記第１の伝送信号の受信状況を監視し、当該監視によって取得された第１の監視情報を出力し、
前記第２の伝送信号の受信状況を監視し、当該監視によって取得された第２の監視情報を出力し、
前記第１の監視情報と前記第２の監視情報とに基づいて前記第１の信号経路と前記第２の信号経路との伝送品質を判断し、当該判断の結果に基づいて、前記第１の受信信号又は前記第２の受信信号を選択する切替信号を作成して出力して、前記切替信号で選択されなかった信号経路の前記第１の送信パラメータ又は前記第２の送信パラメータを変更するための送信制御信号を作成して送信して、前記切替信号で選択されなかった信号経路の前記第１の受信パラメータ又は前記第２の受信パラメータを変更して、前記切替信号に基づいて、前記第１の受信信号又は前記第２の受信信号を選択して第３の受信信号として出力し、
前記送信制御信号を受信して、前記送信制御信号に基づいて前記第１の送信パラメータ又は前記第２の送信パラメータを変更する、
ことを特徴とする信号伝送方法。
【発明の詳細な説明】
【技術分野】
【０００１】
本発明は、信号伝送における伝送品質を確保できる信号伝送システム、受信装置、送信装置、受信装置制御プログラムおよび信号伝送方法に関する。
【背景技術】
【０００２】
近年、情報処理装置間のインタフェースの高速化が著しい。インタフェースの高速化にともない、伝送信号の「伝送パラメータ」の調整が装置間で行われることが多い。「伝送パラメータ」とは、伝送信号の振幅や伝送波形の高周波帯域での強調の程度を表すエンファシス値などである。特に、伝送パラメータの調整を行うことは、高速なインタフェースにおいて伝送品質を確保する上で必須である。ところが、伝送パラメータの調整は、常時行われるのではなく、情報処理装置のリンク確立時に行われ、その後リンクが途切れるまでは行われないことが多い。
【０００３】
特許文献１には、複数の伝送パラメータを予め用意しておくことが開示されている。特許文献１の技術では、例えば、インタフェースのそれぞれの動作周波数に対応する伝送パラメータが複数用意される。特許文献１の技術では、省電力モードでインタフェースを行うときには、省電力モードに対応する動作周波数の伝送パラメータが選択される。また、高速モードでインタフェースを行うときには、高速モードに対応する動作周波数の伝送パラメータが選択される。特許文献１の技術では、それぞれの動作周波数に対応して選択された伝送パラメータがインタフェースに使用される。
【０００４】
このように、特許文献１の技術では、インタフェースの動作モードに対応する伝送パラメータが予め用意されているので、動作モードの変更の際、伝送パラメータの調整に関わる時間が不要となり、最適な伝送パラメータを用いることができる。
【先行技術文献】
【特許文献】
【０００５】
【特許文献１】特開平２０１１−４１１０９号公報（第５、６頁、第１、２図）
【発明の概要】
【発明が解決しようとする課題】
【０００６】
上記のように、特許文献１の技術は、インタフェースの動作周波数に対応して予め用意された伝送パラメータを選択してインタフェースする技術である。そのため、情報処理装置などの装置の長時間運用や環境変化などによるインタフェース（信号伝送）の伝送品質の劣化に対応できないという問題がある。
【０００７】
すなわち、特許文献１の技術では、装置の長時間運用や環境変化などによって、信号伝送での温度ドリフト、電圧ドリフト、経路劣化や部品劣化などが発生し、予め用意された伝送パラメータの最適値からのズレが発生する。したがって、特許文献１の技術には、このズレに起因する伝送エラーに対応することができないという課題がある。
【０００８】
本発明の目的は、上記の課題に鑑みてなされたもので、信号伝送における伝送品質を確保できる信号伝送システム、受信装置、送信装置、受信装置制御プログラムおよび信号伝送方法を提供することにある。
【課題を解決するための手段】
【０００９】
本発明にかかる信号伝送システムは、第１の送信パラメータに基づいて送信信号を第１の伝送信号に変換して、第１の信号経路に送信する第１の送信手段と、第１の送信制御信号を受信し、第１の送信制御信号に基づいて第１の送信パラメータを変更する送信制御手段を備える送信装置と、第１の受信パラメータに基づいて、第１の信号経路から受信した第１の伝送信号を第１の受信信号に変換する第１の受信手段と、第１の伝送信号の受信状況を監視し、監視によって取得された第１の監視情報を出力する第１の受信監視手段と、第１の監視情報に基づいて第１の信号経路の伝送品質を判断し、判断の結果に基づいて第１の送信パラメータを変更するための第１の送信制御信号を作成して送信し、第１の受信パラメータを変更する受信制御手段を備える受信装置を含むことを特徴とする。
【００１０】
本発明にかかる受信装置は、所定の送信パラメータに基づいて送信信号から変換され、信号経路に送信された伝送信号を信号経路から受信し、所定の受信パラメータに基づいて受信信号に変換する受信手段と、伝送信号の受信状況を監視し、監視によって取得された監視情報を出力する受信監視手段と、監視情報に基づいて信号経路の伝送品質を判断し、判断の結果に基づいて送信パラメータを変更させるための送信制御信号を作成して送信し、受信パラメータを変更する受信制御手段を備えることを特徴とする。
【００１１】
本発明にかかる送信装置は、送信パラメータに基づいて送信信号を伝送信号に変換して信号経路に送信する送信手段と、伝送信号の受信状態を監視して監視によって取得された監視情報に基づいて信号経路の伝送品質を判断し、判断の結果に基づいて作成された送信パラメータを変更するための送信制御信号を受信し、送信制御信号に基づいて送信パラメータを変更する送信制御手段を備えることを特徴とする。
【００１２】
本発明にかかる受信装置制御プログラムは、伝送信号を受信し、所定の受信パラメータに基づいて受信信号に変換する受信手段と、伝送信号の受信状況を監視し、監視によって取得された監視情報を出力する受信監視手段を含む受信装置が備えるコンピュータを、監視情報に基づいて伝送品質を判断し、判断の結果に基づいて伝送信号の変換に使用される所定の送信パラメータを変更させるための送信制御信号を作成して送信し、受信パラメータを変更する受信制御手段として動作させることを特徴とする。
【００１３】
本発明にかかる信号伝送方法は、所定の送信パラメータに基づいて送信信号を伝送信号に変換して信号経路に送信し、信号経路から伝送信号を受信して所定の受信パラメータに基づいて変換して受信信号として出力し、伝送信号の受信状況を監視し、監視によって取得された監視情報を出力し、監視情報に基づいて信号経路の伝送品質を判断し、判断の結果に基づいて送信パラメータを変更するための送信制御信号を作成して送信し、受信パラメータを変更し、送信制御信号を受信して、送信制御信号に基づいて送信パラメータを変更することを特徴とする。
【発明の効果】
【００１４】
本発明によれば、信号伝送における伝送品質を確保することができる。
【図面の簡単な説明】
【００１５】
【図１】本発明の第１の実施形態の信号伝送システムの構成例を示すブロック図である。
【図２】本発明の第１の実施形態の受信装置の構成例を示すブロック図である。
【図３】本発明の第１の実施形態の送信装置の構成例を示すブロック図である。
【図４】本発明の第１の実施形態の受信装置の動作例を示すフローチャートである。
【図５】本発明の第２の実施形態の受信装置の構成例を示すブロック図である。
【図６】本発明の第３の実施形態の信号伝送システムの構成例を示すブロック図である。
【図７】本発明の第４の実施形態の信号伝送システムの構成例を示すブロック図である。
【発明を実施するための形態】
【００１６】
以下に、本発明の実施形態について図面を参照して詳細に説明する。
（第１の実施形態）
本発明の第１の実施形態について説明する。図１は、本実施形態の信号伝送システム１の構成例を示すブロック図である。図２は、本実施形態の送信装置１０の構成例を示すブロック図である。図３は、本実施形態の受信装置２０の構成例を示すブロック図である。
【００１７】
図１から３を参照して、本実施形態の信号伝送システム１の構成について説明する。
【００１８】
信号伝送システム１は、送信装置１０、受信装置２０を備える。送信装置１０は、送信手段１１と送信制御手段１２を備える。受信装置２０は、受信手段２１と、受信監視手段２２と受信制御手段２３を備える。
【００１９】
送信装置１０の送信手段１１は、送信信号に所定の変換を行い、伝送信号として送信する。送信制御手段１２は、外部から送信制御信号を受信し、送信制御信号に基づいて送信手段１１を制御する。なお、送信制御手段１２の制御内容については後述する。
【００２０】
受信装置２０は、送信装置１０からの伝送信号を、信号経路から受信する。受信手段２１は、伝送信号を受信して所定の変換を行い、受信信号として出力する。受信監視手段２２は、受信手段２１が受信した伝送信号の受信波形および伝送信号から変換された受信信号を監視する。受信制御手段２３は、受信監視手段２２の監視情報に基づいて、受信手段２１の制御を行い、送信装置１０に送信制御信号を送信する。なお、監視および監視情報の内容については後述する。
【００２１】
図１から３を参照して、本実施形態の信号伝送システム１の動作について説明する。
【００２２】
受信手段２１には、伝送信号を受信するために所定の受信パラメータが設定されている。具体的には、「受信パラメータ」は、信号経路から見た受信手段２１の入力インピーダンスや、伝送信号を受信信号に変換するための「変換閾値」などである。「変換閾値」とは、例えば、２値のデジタル信号の受信信号への変換であれは、０から１への変換を行うための閾値、１から０への変換を行うための閾値である。受信手段２１には、伝送信号の受信に適した受信パラメータが設定される。例えば、受信パラメータは、伝送信号のキャリア周波数や変調方式に対応して受信手段２１に設定される。受信手段２１は、設定された受信パラメータに基づいて伝送信号を変換して、受信信号として出力する。
【００２３】
受信監視手段２２は、受信手段２１が受信した伝送信号を監視する。具体的には、受信監視手段２２は、伝送信号の受信波形と、伝送信号から変換された受信信号を監視して、「受信波形の歪」と「レシーバエラー」を検知する。
【００２４】
伝送信号の受信波形は、伝送信号の信号経路の環境変化や装置の長時間運用などによって、当初の受信波形とは異なる。「受信波形の歪」とは、当初の受信波形と伝送信号の受信波形との差をいう。受信波形の歪は、送信装置１０から受信装置２０までの信号経路における温度ドリフトや電圧ドリフト、劣化（信号ケーブルなどの曲り部分や接触部分、部品など）などに起因して発生する。
【００２５】
受信手段２１の受信パラメータは、伝送信号の受信波形に対して所定の許容範囲を持って設定される。例えば、変換閾値は、予め想定される雑音の影響を排除できる値に設定される。ただし、受信波形の歪が、設定された受信波形の許容範囲を超えると、伝送信号が受信信号に変換される際に、「レシーバエラー」が発生する。
【００２６】
「レシーバエラー」とは、送信側が伝送信号によって伝送した送信データ値と、受信側で伝送信号から変換された受信データ値が異なることである。
【００２７】
通常、伝送信号が伝送するデータ値群（以降、「送信データ」という。）は、例えば、送信データ本体の先頭を示すヘッダ部、送信データ本体であるペイロード部、送信データ本体から生成されたチェックデータ部などを備える。したがって、受信データが正常に受信されていれば、送信側で生成されて受信側へ送信される送信チェックデータ部と、受信側で変換された受信信号のデータ値群（以降、「受信データ」という）から生成された再生チェックデータ部とは一致する。この場合は、受信監視手段２２はレシーバエラーを検知しない。
【００２８】
しかし、上述のように、受信波形の歪が発生して、その歪が所定の許容範囲を超えれば、受信データの一部に受信誤りが発生する可能性がある。そして、受信誤りが発生すれば、送信チェックデータ部と再生チェックデータ部は一致しない。その場合は、受信監視手段２２は、この不一致、すなわちレシーバエラーを検知する。
【００２９】
受信監視手段２２は、伝送信号の受信波形の監視として、例えば、受信波形のオーバーシュートやアンダーシュートなどを観測する。例えば、受信監視手段２２には、受信波形の信号レベルにオーバーシュートが発生したと判別する信号レベルがオーバーシュート閾値として設定される。そして、受信監視手段２２は、受信波形の信号レベルがオーバーシュート閾値を上回っているオーバーシュート時間を測定し、所定の期間、測定されたオーバーシュート時間を積算する。
【００３０】
あるいは、受信監視手段２２には、受信波形の信号レベルにアンダーシュートが発生したと判別する信号レベルがアンダーシュート閾値として設定される。そして、受信監視手段２２は、受信波形の信号レベルがアンダーシュート閾値を下回っているアンダーシュート時間を測定し、所定の期間、測定されたアンダーシュート時間を積算する。
【００３１】
そして、受信監視手段２２は、積算されたオーバーシュート時間あるいはアンダーシュート時間が、所定の期間に占める比率を、測定されたオーバーシュート値あるいはアンダーシュート値とすればよい。受信監視手段２２は、測定されたオーバーシュート値あるいはアンダーシュート値が、予め設定された波形判定範囲から逸脱したことを検知することによって、受信波形の歪の度合いを判定する。
【００３２】
すなわち、受信波形の観測によって得られたオーバーシュート値とアンダーシュート値がともに波形判定範囲を超えていれば、受信監視手段２２は、受信波形の信号レベルの振幅が当初の受信波形の信号レベルの振幅に比べて大きくなりすぎていると判定する。また、オーバーシュート値あるいはアンダーシュート値のいずれか一方が波形判定範囲を超えていれば、受信監視手段２２は、受信波形の信号レベルの振幅の平均値が当初の受信波形の信号レベルの平均値から変位していると判定する。また、オーバーシュート値とアンダーシュート値がともに観測されなければ、受信監視手段２２は、受信波形の信号レベルの振幅が当初の受信波形の信号レベルの振幅に比べて小さくなりすぎていると判定する。
【００３３】
受信監視手段２２は、受信波形を観測して得られる測定情報、例えばオーバーシュート値およびアンダーシュート値が設定された波形判定範囲を逸脱している度合いを、受信波形の歪の度合いとして判定する。
【００３４】
なお、上記のように、オーバーシュート値およびアンダーシュート値の観測に基づいた、受信波形の歪の度合いの判定について説明したが、本発明の受信波形の歪の度合いの判定はオーバーシュート値およびアンダーシュート値の観測に基づくものに限定されない。
【００３５】
例えば、受信監視手段２２は、受信波形の信号レベルの最大値と最小値を所定の期間、観測して受信波形の歪の度合いを判定してもよい。例えば、受信監視手段２２は、受信波形を観測して得られた受信波形の最大値と最小値が、当初の受信波形の最大値と最小値を基に設定された最大値と最小値の判定範囲から逸脱しているか否かを検知することによって、受信波形の歪の度合いを判定してもよい。
【００３６】
すなわち、受信監視手段２２が受信波形の歪の度合いの判定は、当初の受信波形を観測して設定された波形判定範囲を逸脱しているか否かを判断するものであればよい。したがって、判定のために用いる、受信波形を観測して得られる測定情報の具体的内容は任意である
また、受信監視手段２２は、レシーバエラーの発生とその発生頻度をモニタリングする。例えば、送信データに設けられている送信チェックデータ部と受信データとして変換された再生チェックデータ部の不一致がレシーバエラー（受信誤り）として検知される。受信監視手段２２は、レシーバエラーが所定の期間内に何回検知されたかをレシーバエラー発生頻度とする。受信監視手段２２は、レシーバエラー発生頻度が予め設定されたレシーバエラー判定閾値を上回ったことを検知することによって、受信データの異常の発生の有無を判定する。
【００３７】
受信監視手段２２は、受信波形の観測結果として得られた測定値とその判定結果を含む測定情報、および受信データから検知された値とその判定結果を含む検知情報を含む監視情報を受信制御手段２３に出力する。受信波形の観測結果として得られた測定値とは、例えば、上述のオーバーシュート値（あるいはアンダーシュート値）である。その判定結果とは、測定されたオーバーシュート値（あるいはアンダーシュート値）が予め設定されたオーバーシュート判定範囲内（あるいはアンダーシュート判定範囲内）であるか否かを判定した結果および判定範囲外となった場合における度合いである。また、受信データから検知された値とは、例えば、レシーバエラー発生頻度である。その判定結果とは、レシーバエラー発生頻度がレシーバエラー判定閾値を上回ったか否かを判定した結果である。
【００３８】
受信制御手段２３は、監視情報に基づいて、伝送パラメータを変更するか否かを判断する。すなわち、受信制御手段２３は、監視情報に基づいて、伝送信号の伝送品質が劣化したと判断すれば、受信手段２１に設定されている受信パラメータの設定を変更する。そして、受信制御手段２３は、送信装置１０の送信手段１１に設定された所定の「送信パラメータ」を変更させる送信制御信号を作成して送信する。「送信パラメータ」とは、送信装置１０の送信手段１１が送信信号を伝送信号に変換するときに使用するパラメータである。具体的には、送信パラメータは、伝送信号の振幅や伝送波形の高周波帯域での強調の程度を表すエンファシス値などである。
【００３９】
送信手段１１は、予め設定された送信パラメータを使用して、送信信号を伝送信号に変換して送信する。送信制御手段１２は、受信装置２０から送信制御信号を受信して、送信手段１１に設定されている送信パラメータの設定を変更する。
【００４０】
受信制御手段２３は、伝送パラメータとしての受信パラメータと送信パラメータの設定を変更して伝送品質の確保を図る。また、受信制御手段２３は、監視情報に基づいて、伝送品質が許容範囲内であると判断すれば伝送パラメータの設定の変更を行わない。
【００４１】
図４は、本実施形態の信号伝送システム１の受信装置２０の動作を例示したフローチャートである。図４を参照して、受信装置２０の動作について説明する。
【００４２】
受信装置２０の受信制御手段２３は、伝送信号の受信波形を観測して得られた測定情報および伝送信号から変換された受信信号をモニタリングして得られた検知情報を含む監視情報を受信監視手段２２から取得する（Ｓ１０１）。
【００４３】
受信制御手段２３は、監視情報に基づいて、伝送信号の伝送品質が劣化したか否かを判断する（Ｓ１０２）。
【００４４】
受信制御手段２３は、伝送品質が劣化していないと判断すれば（Ｓ１０２：Ｎｏ）、ステップＳ１０１の処理に移る。
【００４５】
受信制御手段２３は、伝送品質が劣化したと判断すれば（Ｓ１０２：Ｙｅｓ）、伝送パラメータの設定を変更する（Ｓ１０３）。すなわち、受信制御手段２３は、受信手段２１に設定されている受信パラメータの設定を変更する。そして、受信制御手段２３は、送信装置１０に設定されている送信パラメータの設定を変更させる送信制御信号を作成して送信する。
【００４６】
受信制御手段２３は、これらの処理を行うことにより伝送パラメータの設定を変更して、ステップＳ１０１の処理に移る。
【００４７】
このように、本実施形態の信号伝送システム１は、信号伝送における伝送品質を監視し、監視によって取得された監視情報に基づいて、伝送品質の劣化を判断する。そして、本実施形態は、その判断結果に基づいて、伝送パラメータを調整する。したがって、本実施形態は、信号伝送における伝送品質の劣化を検知して伝送パラメータを調整することにより、信号伝送の伝送品質を確保することができる。
【００４８】
なお、図４に示した信号伝送システム１の受信装置２０のフローチャートは、本発明に関わる受信装置２０の実施形態として例示したものであって、本発明の動作はこのフローチャートで示されたものに限定されない。
（第２の実施形態）
本発明の第２の実施形態について説明する。図５は、本実施形態の信号伝送システム２のブロック図である。
【００４９】
図５を参照して、本実施形態の信号伝送システム２の構成と動作について説明する。
【００５０】
信号伝送システム２は、送信装置１０と受信装置３０を備える。送信装置１０は、図２で説明した送信装置と同一である。受信装置３０は、図３で説明した受信装置２０の受信監視手段２２と受信制御手段２３が受信監視手段３１と受信制御手段３３に変更され、受信履歴記憶手段３２が追加されていること以外は、同一の構成を備える。したがって、同一の構成には、同一の名称と同一の番号を付記して説明を省略し、相違点のみを説明する。
【００５１】
受信装置３０は、送信装置１０から伝送信号を受信する。受信監視手段３１は、受信手段２１が受信した伝送信号を監視する。具体的には、受信監視手段３１は、伝送信号の受信波形を観測し、伝送信号から変換された受信信号をモニタリングする。受信監視手段３１は、受信波形を観測して得られた測定情報、例えばオーバーシュート値と、オーバーシュート値を観測した時の時刻情報を受信履歴記憶手段３２に記憶する。また、受信監視手段３１は、伝送信号から変換された受信信号をモニタリングして得られた検知情報、例えばレシーバエラー発生頻度と、レシーバエラー発生頻度をモニタリングした時の時刻情報を受信履歴記憶手段３２に記憶する。受信監視手段３１は、測定情報と検知情報を受信履歴情報として、受信履歴記憶手段３２に記憶する。
【００５２】
受信制御手段３３は、受信監視手段２１からの監視情報と受信履歴記憶手段３２からの受信履歴情報に基づいて、伝送パラメータを変更するか否かを判断する。受信制御手段３３は、現在の伝送信号の監視情報および記憶された受信履歴情報に基づいて、伝送信号の受信に関わる経時的な変化を確認する。受信制御手段３３は、現在の伝送信号の監視情報と経時的な変化の確認に基づいて、信号伝送の伝送品質の劣化を判断し、伝送パラメータを変更するか否かを判断する。
【００５３】
すなわち、受信制御手段３３は、伝送信号の受信波形の歪やレシーバエラーの発生頻度の経時的な変化の傾向から信号伝送の劣化の兆候を判断する。例えば、受信制御手段３３は、現在の伝送信号の監視情報、例えばオーバーシュート値が予め設定された許容範囲内であっても、記憶された受信履歴情報に基づいてオーバーシュート値の経時的な変化の度合いが一定値以上であれば、伝送品質の劣化が加速していると判断する。そして、受信制御手段３３は、判断結果に基づいて、伝送パラメータを変更する。すなわち、受信制御手段３３は、受信手段２１の受信パラメータの設定を変更し、送信装置１０の送信パラメータの設定を変更する送信制御信号を作成して送信装置１０に出力する。
【００５４】
受信制御手段１３は、監視情報と受信履歴情報に基づいて、伝送品質が劣化した、またはその劣化が許容範囲内であってもその劣化が急速に進行していると判断すれば、伝送パラメータの設定を変更し、伝送品質の確保を図ることができる。
【００５５】
このように、本実施形態の信号伝送システム２は、信号伝送における伝送品質を監視し、監視によって取得された監視情報を受信履歴情報として記憶する。そのため、本実施形態では、現在の伝送信号の監視情報に加え、記憶された受信履歴情報と併せて経時的な変化を含めて伝送品質の劣化を判断することができる。
【００５６】
また、本実施形態は、判断結果に基づいて伝送パラメータを調整する。本実施形態は、信号伝送における伝送品質の劣化を検知して、伝送パラメータを調整することにより、信号伝送の伝送品質を確保することができる。
【００５７】
なお、本実施形態では、受信監視手段の監視情報を受信履歴情報として記憶すると説明したが、本発明で記憶される受信履歴情報は、監視情報に限定されない。
【００５８】
例えば、受信制御手段の伝送パラメータの変更内容と変更した時の時刻情報を含む変更情報が記憶されてもよい。この場合、受信制御手段は、受信履歴記憶手段に記憶された伝送パラメータの変更情報および監視情報から、両者の相関に基づいて、伝送パラメータの調整を行ってもよい。具体的には、受信制御手段は、変換閾値の信号レベルを上げることがレシーバエラー発生頻度を低下させるという関係性があれば、その関係性に基づいて、受信パラメータである変換閾値の調整を行ってもよい。
（第３の実施形態）
本発明の第３の実施形態について説明する。図６は、本実施形態の信号伝送システム３のブロック図である。
【００５９】
図６を参照して、本実施形態の信号伝送システム３の構成について説明する。信号伝送システム３は、送信装置４０と受信装置５０を備える。
【００６０】
送信装置４０は、送信手段４１ａ、送信手段４１ｂ、送信制御手段４２を備える。受信装置５０は、受信手段５１ａ、受信手段５１ｂ、受信監視手段５２ａ、受信監視手段５２ｂ、受信制御手段５３と切替手段５４を備える。
【００６１】
送信装置４０は、伝送信号ａ、ｂを受信装置５０に送信する。送信手段４１ａは、送信パラメータａに基づいて送信信号を伝送信号ａに変換して受信装置５０に送信する。送信手段４１ｂは、送信パラメータｂに基づいて送信信号を伝送信号ｂに変換して受信装置５０に送信する。送信制御手段４２は、受信装置５０からの送信制御信号に基づいて送信手段４１ａ、４１ｂを制御する。
【００６２】
受信装置５０は、送信装置４０から伝送信号ａ、ｂを受信する。受信手段５１ａは、受信パラメータａに基づいて伝送信号ａを受信信号ａに変換して出力する。受信手段５１ｂは、受信パラメータｂに基づいて伝送信号ｂを受信信号ｂに変換して出力する。受信監視手段５２ａは、受信した伝送信号ａの受信波形ａ、および伝送信号ａから変換された受信信号ａを監視する。受信監視手段５２ｂは、受信した伝送信号ｂの受信波形ｂ、および伝送信号ｂから変換された受信信号ｂを監視する。受信制御手段５３は、受信監視手段５２ａ、５２ｂの監視情報ａ、ｂに基づいて受信手段５１ａ、５１ｂと切替手段５４の制御を行う。そして、受信制御手段５３は、受信監視手段５２ａ、５２ｂの監視情報ａ、ｂに基づいて、送信装置４０に送信制御信号を作成して送信する。切替手段５４は、受信制御手段５３から入力された切替信号に基づいて、受信信号ａ、または受信信号ｂを選択して受信信号として出力する。
【００６３】
図６を参照して、本実施形態の信号伝送システム３の動作について説明する。
【００６４】
本実施形態では、送信装置４０が送信信号を伝送信号ａ、ｂに変換し、ａ系統とｂ系統の２系統の伝送信号ａ、ｂを送信する。そして、受信装置５０は、２系統の伝送信号ａ、ｂを信号経路ａ、ｂから受信し、所定の変換を行って出力された受信信号ａ、または、受信信号ｂを選択して受信信号とする。
【００６５】
ここでは、伝送信号を２系統としたことによる動作の相違点と、本実施形態で追加された切替手段５４に関わる動作について説明する。
【００６６】
送信手段４１ａと送信手段４１ｂは、送信信号に所定の変換を行い、それぞれ、伝送信号ａと伝送信号ｂとして送信する。受信手段５１ａは、伝送信号ａを受信し、受信信号ａに変換する。受信監視手段５２ａは、伝送信号ａの受信波形ａと受信信号ａを監視する。受信手段５１ｂは、伝送信号ｂを受信し、受信信号ｂに変換する。受信監視手段５２ｂは、伝送信号ｂの受信波形ｂと受信信号ｂを監視する。
【００６７】
受信制御手段５３は、受信監視手段５２ａ、５２ｂの監視情報ａ、ｂを入力する。受信制御手段５３は、監視情報ａ、ｂに基づいて、切替手段５４に切替信号を出力する。切替手段５４は、入力した受信信号ａ、または受信信号ｂを切替信号に基づいて選択し、受信信号として出力する。
【００６８】
このとき、受信制御手段５３は、監視情報ａ、ｂに基づいて、信号経路ａ、ｂの伝送品質を判断する。そして、受信制御手段５３は、その判断結果に基づいて、切替信号を作成する。例えば、受信制御手段５３は、監視情報ａ、ｂに基づいて、それぞれ、信号経路ａ、ｂの伝送品質を比較し、伝送品質の良好な方の受信信号を選択する切替信号を作成して出力する。
【００６９】
このように、本実施形態の信号伝送システム３では、２系統に伝送された伝送信号ａ、ｂから伝送品質の良好な系統を選択して受信することができる。
【００７０】
また、受信制御手段５３は、切替信号によって選択されなかった系統の伝送パラメータの変更を行う。ここでは、ａ系統が受信信号として選択されたときのｂ系統の伝送パラメータの調整について説明する。
【００７１】
受信制御手段５３は、受信手段５１ｂに設定されている受信パラメータｂの変更を行う。そして、受信制御手段５３は、送信手段４１ｂに設定されている送信パラメータｂを変更する送信制御信号を作成して送信制御手段４２に送信する。送信制御手段４２は、送信制御信号にしたがって送信手段４１ｂの送信パラメータｂの設定を変更する。このように、受信制御手段５３は、受信手段５１ｂの受信パラメータｂの変更および送信手段４１ｂの送信パラメータｂの変更を行う。そして、受信制御手段５３は、受信監視手段５２ｂの監視情報に基づいて、上記の伝送パラメータの変更によって伝送信号ｂの受信品質が改善されたことの確認を行う。
【００７２】
このように、本実施形態の信号伝送システム３は、信号伝送における伝送品質を監視し、監視によって取得された監視情報に基づいて、伝送品質の良好な信号経路を選択する。そのため、本実施形態では、伝送品質の良好な信号経路から受信信号を受信することができる。
【００７３】
また、本実施形態の信号伝送システム３は、受信信号の受信を継続しながら、選択されなかった信号経路についても、伝送パラメータを変更することによって、伝送品質を改善することができる。
【００７４】
したがって、本実施形態は、本実施形態は、信号伝送における伝送品質の劣化を検知し、伝送パラメータを調整することにより、信号伝送の伝送品質を確保することができる。
【００７５】
なお、本実施形態では、伝送信号の信号経路を２系統として説明したが、信号経路の系統数は、２つに限定されない。例えば、本実施形態は、現用系の信号経路をｎ系統（ｎは、１以上の整数）と予備系の信号経路を１系統備えた信号伝送システムに適用できる。
【００７６】
また、本実施形態では、信号経路の伝送品質の判断は、伝送品質が改善された系統を含めて再度行われてもよい。
（第４の実施形態）
本発明の第４の実施形態について説明する。図７は、本実施形態の信号伝送システム４のブロック図である。
【００７７】
図７を参照して、本実施形態の信号伝送システム４の構成について説明する。信号伝送システム４は、送信装置６０と受信装置７０を備える。
【００７８】
送信装置６０は、送信手段６１ａ、送信手段６１ｂ、送信制御手段６２、試験信号出力手段６３を備える。受信装置７０は、受信手段５１ａ、受信手段５１ｂ、受信監視手段７１ａ、受信監視手段７１ｂ、受信制御手段７２と切替手段５４を備える。
【００７９】
送信装置６０は、伝送信号ａ、ｂを受信装置６０に送信する。送信手段６１ａは、送信パラメータａに基づいて送信信号を伝送信号ａに変換して受信装置７０に送信する。送信手段６１ｂは、送信パラメータｂに基づいて送信信号を伝送信号ｂに変換して受信装置７０に送信する。送信制御手段６２は、受信装置７０からの送信制御信号に基づいて送信手段６１ａ、６１ｂおよび試験信号出力手段６３を制御する。試験信号出力手段６３は、送信制御手段６２の制御に基づいて、「試験信号」を出力する。
【００８０】
「試験信号」は、信号伝送の伝送品質を確認するために使用される信号であり、伝送パラメータの設定と調整を行うために使用される信号である。試験信号は、通常の送信信号では出現しないデータやデータの繰り返しなどを含んでもよい。
【００８１】
受信装置７０は、送信装置６０から伝送信号ａ、ｂを受信する。受信手段５１ａは、受信パラメータａに基づいて伝送信号ａを受信信号ａに変換して出力する。受信手段５１ｂは、受信パラメータｂに基づいて伝送信号ｂを受信信号ｂに変換して出力する。受信監視手段７１ａは、受信した伝送信号ａの受信波形、および伝送信号ａから変換された受信信号ａを監視する。受信監視手段７１ｂは、受信した伝送信号ｂの受信波形、および伝送信号ｂから変換された受信信号ｂを監視する。受信制御手段７２は、受信監視手段７１ａ、７１ｂのそれぞれからの監視情報ａ、ｂに基づいて、受信手段５１ａ、５１ｂと切替手段５４の制御を行う。そして、受信制御手段７２は、受信監視手段７１ａ、７１ｂのそれぞれからの監視情報ａ、ｂに基づいて、送信装置６０に送信制御信号を作成して送信する。切替手段５４は、受信制御手段７２から入力された切替信号に基づいて、受信信号ａ、または受信信号ｂを選択して受信信号として出力する。
【００８２】
図７を参照して、本実施形態の信号伝送システム４の動作について説明する。
【００８３】
本実施形態では、送信装置６０は、送信信号を伝送信号ａ、ｂに変換し、ａ系統とｂ系統の２系統の伝送信号ａ、ｂを送信する。そして、受信装置７０は、２系統の伝送信号ａ、ｂをそれぞれの信号経路ａ、ｂから受信し、所定の変換を行って出力された受信信号ａ、または、受信信号ｂを選択して受信信号とする。
【００８４】
ここでは、伝送信号を２系統としたことによる動作の相違点と、本実施形態で追加された試験信号出力手段６３に関わる動作について説明する。
【００８５】
送信手段６１ａと送信手段６１ｂは、送信信号に所定の変換を行い、それぞれ、伝送信号ａと伝送信号ｂとして送信する。受信手段５１ａは、伝送信号ａを受信し、受信信号ａに変換する。受信監視手段７１ａは、伝送信号ａの受信波形ａと受信信号ａを監視する。受信手段５１ｂは、伝送信号ｂを受信し、受信信号ｂに変換する。受信監視手段７１ｂは、伝送信号ｂの受信波形ｂと受信信号ｂを監視する。
【００８６】
受信制御手段７２は、受信監視手段７１ａ、７１ｂの監視情報ａ、ｂを入力する。受信制御手段７２は、監視情報ａ、ｂに基づいて、切替手段５４に切替信号を出力する。切替手段５４は、入力した受信信号ａ、または受信信号ｂを切替信号に基づいて選択し、受信信号として出力する。
【００８７】
このとき、受信制御手段７２は、監視情報ａ、ｂに基づいて、伝送品質を判断する。そして、受信制御手段７２は、その判断結果に基づいて、切替信号を作成する。例えば、受信制御手段７２は、監視情報ａ、ｂに基づいて伝送品質を比較し、伝送品質の良好な方の受信信号を選択する切替信号を作成して出力する。
【００８８】
このように、本実施形態の信号伝送システム４では、２系統に伝送された伝送信号ａ、ｂから伝送品質の良好な系統の受信信号を選択して受信することができる。
【００８９】
また、受信制御手段７２は、切替信号によって選択されなかった系統の伝送パラメータの変更を行う。ここでは、ａ系統が受信信号として選択されたときのｂ系統の伝送パラメータの調整について説明する。
【００９０】
受信制御手段７２は、受信手段５１ｂに設定されている受信パラメータｂの変更を行う。そして、受信制御手段７２は、送信手段６１ｂに設定されている送信パラメータｂを変更する送信制御信号を作成して送信制御手段６２に送信する。送信制御手段６２は、送信制御信号にしたがって、送信手段６１ｂの送信パラメータｂの設定を変更する。
【００９１】
このように、受信制御手段７２は、受信手段５１ｂの受信パラメータｂの変更および送信手段６１ｂの送信パラメータｂの変更を行う。そして、受信制御手段７２は、受信監視手段７１ｂの監視情報に基づいて、上記の伝送パラメータの変更によって伝送信号ｂの伝送品質が改善されたことの確認を行う。
【００９２】
受信制御手段７２は、上記のｂ系統の伝送パラメータの変更による受信品質の確認を行う際に、試験信号を使用した確認を行うことができる。受信制御手段７２は、送信制御手段６２に試験信号出力手段６３を起動させるための送信制御信号を作成して、送信制御手段６２に出力する。
【００９３】
送信制御手段６２は、送信制御信号にしたがって、試験信号出力手段６３を起動する。試験信号出力手段６３は、試験信号を出力する。送信手段６１ｂは、設定された送信パラメータｂに基づいて試験信号を伝送信号ｂに変換して出力する。
【００９４】
受信手段５１ｂは、伝送信号ｂを受信する。受信監視手段７１ｂは、伝送信号ｂの受信波形を観測し、伝送信号ｂから変換された受信信号ｂをモニタリングする。そして、受信制御手段７２は、受信監視手段７１ｂからの監視情報ｂに基づいて、伝送品質の確認を行う。受信制御手段７２は、伝送品質の確認に基づいて、伝送パラメータの設定と調整を行う。
【００９５】
このように、受信制御手段７２は、試験信号を変換して伝送された伝送信号ｂを受信して得られた監視情報ｂに基づいて、信号伝送の伝送品質を確認し、伝送パラメータの設定と調整を行うことができる。試験信号は、通常の送信信号では出現しないデータやデータの繰り返しなどを含むことができる。そのため、受信制御手段７２は、伝送品質の確認に基づいて、伝送パラメータの設定と変更を効率的に行うことができる。
【００９６】
このように、本実施形態の信号伝送システム４は、第３の実施形態と同様に、伝送品質の良好な信号経路から受信信号を受信することができる。
【００９７】
また、本実施形態の信号伝送システム４は、受信信号の受信を継続しながら、選択されなかった信号経路の伝送品質を確認し、伝送パラメータを変更することができる。本実施形態は、その際に、試験信号を使用して伝送品質を確認し、伝送パラメータの設定と変更を効率的に行うことができる。
【００９８】
なお、本実施形態では、伝送信号の信号経路は、２系統として説明したが、信号経路の系統数は、２つに限定されない。例えば、本実施形態は、現用系の信号経路をｎ系統（ｎは、１以上の整数）と予備系の信号経路を１系統備えた信号伝送システムに適用できる。
【００９９】
また、本実施形態では、信号経路の伝送品質の判断は、伝送品質が改善された系統を含めて再度行われてもよい。
【０１００】
また、本実施形態では、試験信号を使用して非運用系の信号経路の伝送品質の確認と伝送パラメータの調整を行うと説明したが、試験信号を使用する信号経路は、非運用系の信号経路に限定されない。例えば、伝送信号の送信を開始する前に、あるいは定期的に、本実施形態の信号伝送システムは、試験信号を信号経路に出力して、伝送品質の確認と伝送パラメータの設定と調整を行ってもよい。
【０１０１】
なお、本願発明は、上述の各実施形態に限定されるものではなく、本願発明の要旨を逸脱しない範囲で種々変更、変形して実施することができる。
【０１０２】
例えば、第２の実施形態で説明した受信履歴記憶手段は、第３の実施形態や第４の実施形態にも適用できる。
【０１０３】
また、上述の実施形態では、伝送信号を送信する送信装置と、伝送信号を受信する受信装置とに分けて説明したが、送信機能と受信機能の両方を備え、伝送信号を相互に送受する通信装置や、伝送信号を双方向伝送する通信装置にも本発明は適用できる。
【０１０４】
また、本発明の送信装置、受信装置、送信機能と受信機能を備える通信装置は、伝送信号を送信、または受信する機能を備えた半導体装置、組み込みモジュールなどであってもよい。
【０１０５】
なお、上述の各実施形態の受信監視と受信制御、送信制御に関わる受信制御処理は、送信装置、受信装置または通信装置が備えるコンピュータを用いたソフトウェアによって実行されてもよい。すなわち、受信制御に関わる処理を行うコンピュータプログラムが、ＣＰＵ（図示なし）によって読み込まれ、実行されることによって、受信制御に関わる処理の制御が行われてもよい。プログラムを用いて受信制御に関わる処理の制御を行っても、上述の実施形態の受信制御に関わる処理と同内容の処理を行うことができる。
【０１０６】
なお、プログラムは、ＲＯＭ（Read Only Memory）、ＲＡＭ（Random Access Memory）、フラッシュメモリ等の半導体記憶装置、光ディスク、磁気ディスク、光磁気ディスク等、非一時的な媒体に格納されてもよい。
【符号の説明】
【０１０７】
１、２、３、４    信号伝送システム
１０、４０、６０    送信装置
１１、４１ａ、４１ｂ、６１ａ、６１ｂ    送信手段
１２、４２、６２    送信制御手段
２０、３０、５０、７０    受信装置
２１、５１ａ、５１ｂ    受信手段
２２、３１、５２ａ、５２ｂ、７１ａ、７１ｂ    受信監視手段
２３、３３、５３、７２    受信制御手段
３２    受信履歴記憶手段
５４    切替手段
６３    試験信号出力手段
【図１】
0005900458.tif 000002
【図２】
0005900458.tif 000003
【図３】
0005900458.tif 000004
【図４】
0005900458.tif 000005
【図５】
0005900458.tif 000006
【図６】
0005900458.tif 000007
【図７】
0005900458.tif 000008